(57)【要約】【課題】  遠赤外線による暖房効果やマイナスイオン効果、更には結露防止及び防カビ効果が得られて快適な居住空間を造成することができる面下層施工用機能性シートを提供すること。【解決手段】  シート基材2の表面に、導電性粉末カーボンを分散した合成樹脂コーティング層からなる筋状の発熱層3が複数条形成され、これらシート基材2と発熱層3が表裏2枚の耐熱性、絶縁性を有するフィルム4、5により挟着されて構成された面状発熱シート体1と、表裏2枚のシート基材11、12の間の略全面に亘って、トルマリンの微粉と窯土類の微砂、吸放水ポリマーの微粉及び粘着剤の混合物層13が略平面的に規則的或いは不規則的配列で接着接合されて構成されたトルマリン加工シート体10が一体的に重合接着されてなる面下層施工用機能性シートで、この機能性シートが、床面、周囲壁面および天井面の全面下層に貼り付け施工される。【選択図】    図1
2005146622.tif 000002
【特許請求の範囲】
【請求項１】
粗面を有する不織布等のシート基材（2）の表面に、導電性粉末カーボンを分散した合成樹脂コーティング層からなる筋状の発熱層（3）が複数条形成され、これらシート基材（2）と発熱層（3）が表裏2枚の耐熱性、絶縁性を有するフィルム（4）、（5）により挟着されて構成された面状発熱シート体（1）と、
コットン或いは不織布等の表裏2枚のシート基材（11）、（12）の間の略全面に亘って、トルマリンの微粉と窯土類の微砂、吸放水ポリマーの微粉及び粘着剤の混合物層（13）が略平面的に規則的或いは不規則的配列で接着接合されて構成されたトルマリン加工シート体（10）を組み合わせてなる面下層施工用機能性シート。
【請求項２】
前記面下層施工用機能性シートが、床面（100）、周囲壁面（101）及び天井面（102）の部屋全面の下層に貼り付け施工された構成を特徴とする建築構造体。
【発明の詳細な説明】
【技術分野】
【０００１】
本発明は、主として床面・周囲壁面・天井面等の面材の下層に貼り付け施工して、快適な遠赤外線による暖房効果、マイナスイオン効果等を得るために用いられる面下層施工用機能性シートと該面下層施工用機能性シートを施工した建築構造体に関するものである。
【背景技術】
【０００２】
従来から例えば、布団等と床面との間、或いは既設の壁面や床面・天井面の下層に貼り巡らされて使用され、通電により低温発熱することによって除湿効果が得られる面下層施工用機能性シートが知られている（例えば、特許文献1参照）。
【０００３】
しかしながら、この面下層施工用機能性シートは、低温発熱による除湿効果は有するものの、それ以上の遠赤外線による暖房効果やマイナスイオン効果を同時に発揮することはできないものであった。
【特許文献１】特開平11−233242号公報
【発明の開示】
【発明が解決しようとする課題】
【０００４】
本発明が解決しようとする問題点は、低温発熱による除湿効果は有するものの、それ以上の遠赤外線による暖房効果やマイナスイオン効果を同時に発揮することはできないという点である。
【０００５】
したがって、本発明の目的は、床面・周囲壁面・天井面等の面下層に簡易に貼り付けて施工することができ、部屋室内の遠赤外線による暖房効果やマイナスイオン効果、更には結露防止及び防カビ効果が得られて快適な居住空間を造成することができる面下層施工用機能性シートと該機能性シートを施工した建築構造体を提供することにある。
【課題を解決するための手段】
【０００６】
この目的のため、本発明の請求項1に記載の面下層施工用機能性シートは、粗面を有する不織布等のシート基材2の表面に、導電性粉末カーボンを分散した合成樹脂コーティング層からなる筋状の発熱層3が複数条形成され、これらシート基材2と発熱層3が表裏2枚の耐熱性、絶縁性を有するフィルム4、5により挟着されて構成された面状発熱シート体1と、コットン或いは不織布等の表裏2枚のシート基材11、12の間の略全面に亘って、トルマリンの微粉と窯土類の微砂、吸放水ポリマーの微粉及び粘着剤の混合物層13が略平面的に規則的或いは不規則的配列で接着接合されて構成されたトルマリン加工シート体10が組み合わされた構成を特徴とするものである。
【０００７】
本発明の請求項2に記載の建築構造体は、前記面下層施工用機能性シートが、床面100、周囲壁面101及び天井面102の部屋全面の下層に貼り付け施工された構成を特徴とするものである。
【発明の効果】
【０００８】
本発明に係る  面下層施工用機能性シート及び建築構造体によれば、全体が薄いシート状であるために、既設の床面下・壁面下・天井面下等の面下層に簡単に接着剤等を介して貼り付け施工することができ、これにより部屋室内の遠赤外線による暖房効果やマイナスイオン効果、更には結露防止及び防カビ効果が得られて快適な居住空間を造成することができる。
【発明を実施するための最良の形態】
【０００９】
以下に図面を参照して、本願に係る発明を実施するための最良の形態についてその作用と共に説明する。
【００１０】
図１は、本発明に係る面下層施工用機能性シートの一例を示す一部省略の断面図、図2は、面状発熱シート体の一部省略の平面図、図3は、面状発熱シート体のー部省略の断面図、図4は、トルマリン加工シート体の一部省略の平面図、図5は、トルマリン加工シート体の一部省略の断面図、図6は、使用状態の一例を示す一部省略の断面図、図7は、本発明に係る建築構造体の一例での一部省略の概略縦断面図、図8は同上の概略横断面図である。
【００１１】
図1において、本面下層施工用機能性シートは、面状発熱シート体1とトルマリン加工シート体10の組み合わせであって、面状発熱シート体1は図2及び図3に示されている。  
【００１２】
図2及び図3において、面状発熱シート体1は、粗面を有するシート基材2の表面に、筋状の発熱層3が複数条形成され、これらシート基材2と発熱層3が表裏2枚の耐熱性、絶縁性を有するフィルム4、5により挟着されて構成されている。  
【００１３】
シート基材2としては、例えば繊維編織物、不織布、プラスチック発泡体シート等が挙げられる。
【００１４】
なお、シート基材2の表面を粗面化しているのは、発熱層3の食い込みにより、発熱層3に亀裂が生じないようにしたためである。
【００１５】
発熱層3としては、カーボン等の導電性物質の粉末を分散したアクリル樹脂、ウクリルウレタン樹脂等の合成樹脂コーティング層からなり、この合成樹脂コーティング層が筋状に形成されて発熱層3とされている。
【００１６】
発熱層3の厚みは適宜に選択され、厚みが厚い程抵抗値は低くなる。又、筋状であれば、直線状であっても曲線状であってもよい。
【００１７】
本実施例においては、発熱層3はストライプ状に形成されているが、所々においてクロスした格子状に形成することもでき、この格子状により発熱状態を調節することができる。
【００１８】
又、発熱層3のストライプの幅は適宜であるが、この幅を広げたり狭めたりすることによって温度の昇降を調節することもできる。
【００１９】
発熱層3の両端縁には、銀ペーストの塗布によって電極6、7が形成され、両電極6、7間に電圧が印加されることにより電流が流れ、表面温度が上昇するようになっている。
【００２０】
なお、発熱層3の表面温度は25〜30℃が好ましく、この温度設定は電極6、7間の抵抗値により選択することができ、又、サーモスタットにより設定することができる。
【００２１】
シート基材2が熱可塑性繊維やプラスチックシートからなる場合には、発熱層3の温度が、熱可塑性繊維やプラスチックシートの軟化点以上に上昇すると、基材が溶けて伸びて筋状の発熱層3のカーボン面のつながりが途絶えて電流が切れ、サーモスタットの働きをする。又、発熱層3の温度が下がって冷えると元の発熱層3に戻る。
【００２２】
シート基材2と発熱層3は、表裏2枚の耐熱性、絶縁性を有するフィルム4、5によりサンドイッチ状に挟着されている。
【００２３】
トルマリン加工シート体10は、表裏2枚のシート基材11、12の間の略全面に亘って、トルマリンの微粉と窯土類の微砂、吸放水ポリマーの微粉及び粘着剤の混合物層13が略平面的に規則的或いは不規則的配列で接着接合されて構成されている。
【００２４】
シート基材11、12としては、強靭にして通気性を有する例えばコットン或いは不織布が好ましいが、通気性が良好で強度も有り、混合物層13との接合性がよければ他のシート材であってもよい。
【００２５】
シート基材11、12は、目付け1平方メートルあたり40グラムのコットンが用いられる。
【００２６】
トルマリンとしては、六方晶系の極性構造体であるショールトルマリンが好ましいが、リチアトルマリン或いはトラバイトトルマリンであってもよい。
【００２７】
トルマリン粉末の粒子径は3ミクロン程度が最も好ましいが、それ以上でも以下でも効能は発揮される。
【００２８】
窯土類の微粉は、Ｏ、Ｎａ、Ｍｇ、Ａｌ、Ｓｉ、Ｋ、Ｃａ、Ｔｉ、Ｖ、Ｍｎ、Ｆｅ、Ｎｉ、Ｃｕ、Ｚｎ、Ｓｒ等の元素を含む土であり、これらを焼結後粉砕して微砂としたが、他の方法で微砂化してもよい
【００２９】
窯土の微砂は、トルマリンに対して５対１の割合で混ぜた場合に、トルマリンのマイナスイオン効果を次第に引き出せるが、それ以外の混合比でもよい。
【００３０】
吸放水ポリマーは、吸放湿の平衡点が相対湿度６０％程度のものが好ましく、このような吸放水ポリマーを粉末状にして、トルマリン微粉と窯土の微砂の混合物に混合させるか、吸放水ポリマーに油や安定剤やアルコールを混入してなる溶液をシート基材にコーティングする等の手段によって、トルマリンのイオン効果を促進する。
【００３１】
なお、吸放水ポリマーの使用量については、吸放水ポリマーの種類によって異なるので、特に限定しない。
【００３２】
以上に構成された面状発熱シート体1とトルマリン加工シート体10は一体的に重合接着されて面下層施工用機能性シートとされ、この機能性シートは、例えば図6に示されているように、壁面101にその面状発熱シート体1側が粘着剤を介して貼り付けられて取り付けされ、トルマリン加工シート10側には壁紙等の内装材103が粘着剤を介して貼り付け取り付けされる。
【００３３】
これにより、面状発熱シート体1に通電されると、面状発熱シート体1による発熱暖房効果と共に、トルマリン加工シート体10による遠赤外線効果、マイナスイオン効果、更には結露防止効果、防カビ効果等の諸効果が得られる。
【００３４】
図7及び図8は、本発明に係る建築構造体の一例を示したもので、本建築構造体は、床面100、周囲壁面101及び天井面102の全面下層に、面状発熱シート体1を各面側に向けて本機能性シートが貼り付け施工され、各トルマリン加工シート体10側には内装材103が貼り付けられて、例えば部屋全面が面下層施工用機能性シートにより覆うようにして施工される。
【００３５】
なお、本実施例では、面下層施工用機能性シートは、床面100、周囲壁面101及び天井面102と内装材103との間に介装されているが、内装材103に代えて直接に面下層施工用機能性シートを貼り付け施工してもよい。
【００３６】
本建築構造体によれば、面状発熱シート体1による発熱暖房効果と共に、トルマリン加工シート体10による遠赤外線効果、マイナスイオン効果、更には結露防止効果、防カビ効果等を奏する快適な居住空間が得られる。
【産業上の利用可能性】
【００３７】
本発明に係る面下層施工用機能性シートは、建築構造体の面下層施工用の他、乗用車やトラック等の車両室内の暖房用として、或いは椅子用等として適用できる。
【図面の簡単な説明】
【００３８】
【図１】本発明に係る面下層施工用機能性シートの一例を示す一部省略の断面図である。
【図２】面状発熱シート体の一部省略の平面図である。
【図３】面状発熱シート体の一部省略の断面図である。
【図４】トルマリン加工シート体の一部省略の平面図である。
【図５】トルマリン加工シート体の一部省略の断面図である。
【図６】使用状態の一例を示す一部省略の断面図である。
【図７】本発明に係る建築構造体の一例での一部省略の概略縦断面図である。
【図８】同上の概略横断面図である。
【符号の説明】
【００３９】
1    面状発熱シート体
2    シート基材
3    発熱層
4、5    フィルム
10    トルマリン加工シート体
11、12    シート基材
13    混合物層
100    床面
101    周囲壁面
102    天井面
103    内装材
【図１】
2005146622.tif 000003
【図２】
2005146622.tif 000004
【図３】
2005146622.tif 000005
【図４】
2005146622.tif 000006
【図５】
2005146622.tif 000007
【図６】
2005146622.tif 000008
【図７】
2005146622.tif 000009
【図８】
2005146622.tif 000010